(57)【要約】【課題】  本発明は、コンテンツが他の予約者と共有されている場合、録画予約された当該コンテンツの予約者の全ての視聴が完了する迄、当該コンテンツを消去或いは上書きできない記録再生装置を提供することを目的とする。【解決手段】  本発明の記録再生装置（１）は、録画記録されるコンテンツ毎に録画予約の録画予約情報を保持する保持手段（２０ａ）と、同一のコンテンツを録画予約する場合、前記録画予約情報を録画予約毎に設定可能とし、コンテンツの録画予約を管理する管理手段（１５）と、前記管理手段による管理された録画予約情報に従い、コンテンツを記憶媒体上に記録する記録手段（１４）と、を具備することを特徴とする。【選択図】  図１
2005092975.tif 000002
【特許請求の範囲】
【請求項１】
映像や音声を記録媒体上に記録できる記録再生装置に於いて、録画記録されるコンテンツ毎に録画予約情報を保持する保持手段と、同一のコンテンツを録画予約する場合、前記録画予約情報を録画予約毎に設定可能とし、コンテンツの録画予約を管理する管理手段と、前記管理手段による管理された録画予約情報に従い、コンテンツを記憶媒体上に記録する記録手段と、を具備することを特徴とする記録再生装置。
【請求項２】
前記録画予約情報は、コンテンツを録画予約する情報とコンテンツの録画予約の状態情報を具備することを特徴とする請求項１記載の記録再生装置。
【請求項３】
前記管理手段は、コンテンツの録画を予約した際、当該コンテンツの録画予約の状態情報を前記記録媒体に記録されていない状態に設定し、コンテンツの録画予約を管理することを特徴とする請求項２記載の記録再生装置。
【請求項４】
前記管理手段は、録画予約したコンテンツが前記記録媒体に記録された際、当該コンテンツの録画予約の状態情報を前記記録媒体に記録された状態に設定し、コンテンツの録画予約を管理することを特徴とする請求項２記載の記録再生装置。
【請求項５】
前記管理手段は、録画予約されたコンテンツが視聴された際、当該コンテンツの録画予約の状態情報を消去可能な状態に設定し、コンテンツの録画予約を管理することを特徴とする請求項２記載の記録再生装置。
【請求項６】
消去可能な状態に設定されているコンテンツを消去する際、前記管理手段は、コンテンツの録画予約の情報及び録画予約の状態情報に従い、当該コンテンツに他の録画予約の情報が設定されているか判断し、当該コンテンツに他の録画予約の情報が設定されている場合、更に、消去可能な状態に設定されているか判断し、消去可能な状態に設定されていない場合、当該コンテンツの消去を禁止することを特徴とする請求項５記載の記録再生装置。
【請求項７】
消去可能な状態に設定されているコンテンツを消去する際、前記管理手段は、コンテンツの録画予約の情報と録画予約の状態情報に従い、当該コンテンツに他の録画予約の情報が設定されているか判断し、当該コンテンツに他の録画予約の情報が設定されている場合、更に、消去可能な状態に設定されているか判断し、消去可能な状態に設定されている場合、当該コンテンツを消去することを特徴とする請求項５記載の記録再生装置。
【請求項８】
前記録画予約情報は、コンテンツの録画消去を許可するパスワード情報を有し、前記管理手段は、コンテンツを消去する際、パスワードが入力された値と、前記保持手段に保持された当該コンテンツのパスワード情報の値を比較し、当該コンテンツの消去を許可された権限を判断することを特徴とする請求項６記載の記録再生装置。
【請求項９】
前記コンテンツの録画予約の情報は、録画されるコンテンツの画質情報を具備することを特徴とする請求項６記載の記録再生装置。
【請求項１０】
前記管理手段は、当該コンテンツに他の録画予約の情報が設定されている場合、消去可能な状態に設定されているか判断し、消去可能な状態に設定されている場合、更に、消去されるコンテンツの画質情報のそれぞれを比較し、消去を指示した当該録画予約の画質情報が最大である場合、他の録画予約の情報の中で、最大の画質情報の値に従い、当該コンテンツを再エンコード処理し、前記記憶媒体に記録することを特徴とする請求項９記載の記録再生装置。
【請求項１１】
前記管理手段は、当該コンテンツに他の録画予約の情報が設定されている場合、消去可能な状態に設定されているか判断し、消去可能な状態に設定されている場合、更に、消去されるコンテンツに対する録画予約の画質情報のそれぞれを比較し、消去を指示した当該録画情報の画質情報が最大でない場合、当該コンテンツの消去を禁止することを特徴とする請求項９記載の記録再生装置。
【請求項１２】
映像や音声を記録媒体上に記録できる記録再生装置に於いて、録画記録されるコンテンツ毎に録画予約の情報と録画予約の状態情報を保持する保持手段と、同一のコンテンツを録画予約する場合、前記録画予約の情報を録画予約毎に設定可能とし、録画予約されたコンテンツが視聴された際、当該コンテンツの録画予約の状態情報を消去可
能な状態に設定し、コンテンツの録画予約を管理する管理手段と、前記管理手段による管理された録画予約の情報と録画予約の状態情報に従い、に従い、コンテンツを記憶媒体上に記録する記録手段と、前記管理手段は、消去可能な状態に設定されているコンテンツを消去する際、当該コンテンツに他の録画予約の情報が設定されているか判断し、当該コンテンツに他の録画予約の情報が設定されている場合、更に、消去可能な状態に設定されているか判断し、消去可能な状態に設定されていない場合、前記記録媒体上の当該コンテンツの消去を禁止することを特徴とする記録再生装置。
【請求項１３】
映像や音声を記録媒体上に記録できる記録再生装置に於いて、録画記録されるコンテンツ毎に画質情報を含む録画予約の情報と録画予約の状態情報を保持する保持手段と、同一のコンテンツを録画予約する場合、前記録画予約の情報を録画予約毎に設定可能とし、録画予約されたコンテンツが視聴された際、当該コンテンツの録画予約の状態情報を消去可能な状態に設定し、コンテンツの録画予約を管理する管理手段と、前記管理手段による管理された録画予約の情報と録画予約の状態情報に従い、コンテンツを記憶媒体上に記録する記録手段と、前記管理手段は、コンテンツの録画予約の情報に従い、当該コンテンツに他の録画予約の情報が設定されているか判断し、当該コンテンツに他の録画予約の情報が設定されている場合、当該コンテンツが消去可能な状態に設定されているか判断し、消去可能な状態に設定されている場合、更に、消去されるコンテンツの録画予約の画質情報のそれぞれを比較し、消去を指示した当該録画情報の画質情報が最大である場合、他の録画予約の情報の中で最大の画質情報に従い、当該コンテンツを再エンコード処理を実行し、前記記憶媒体に記録することを特徴とする記録再生装置。
【発明の詳細な説明】
【技術分野】
【０００１】
本発明は、録画予約を可能とした記録再生装置に係わり、特に、放送受信機能を有する記録再生装置における番組の上書き、或いは、消去の管理に関するものである。
【背景技術】
【０００２】
映像情報、音声情報、及び制御情報などの情報を記録媒体に記録、及び当該記録媒体から情報を再生する記録再生装置では、画像開始日時／録画開始日時、録画ソース（番組等）、記録方式（音声記録形式／サイマルキャストの有無等）及び記録レート（標準や３倍速）などの情報（以下、録画予約情報と称する。）が、装置本体又は付属するリモコン装置から設定されることで、録画予約された日時に、所定の記録レート及び記録方式により、希望（設定）したコンテンツ（以下、番組と称す。）が記録される。
【０００３】
このような記録装置に於いては、大容量の脱着可能な可能なディスクタイプの記憶媒体上或いはハードディスクのように固定化された記憶媒体上で、複数の予約者が複数の番組を記録したり、上書きあいは消去したりして利用することが頻繁に行われている。
【０００４】
特に、近年では、Ｇコードと呼ばれる録画予約コードや電子番組表をリモコン等の入力装置から記録再生装置に入力することにより、録画（放送）開始日時／録画（放送）終了日時及び放送チャンネル等の録画ソースを特定することが出来る。
【０００５】
このような記録再生装置に於いては、番組単位で容易に、消去、上書きの操作が可能となると共に、誤って必要な番組を消去したり上書きしたりする問題が生じている。この為、従来の記録再生装置に於いては、複数の予約者が記憶媒体を共有して使用する場合、必要な番組を他の使用者が消去或いは上書きしてしまうことを防止する為、記憶媒体上の番組の消去にパスワードの消去制限を設け、通常使用時においてはパスワードによる消去確認を行った上で消去或いは上書き操作が行われるようにすることで、必要な番組を保護している（例えば、特許文献１参照）。
【０００６】
しかしながら、従来の記録再生装置に於いては、複数の予約者が録画した同一の番組に対する消去或いは上書きする方法について考慮されていなかったので、ある予約者が録画した番組を他の予約者が消去或いは上書きされていた。
【特許文献１】特開２００１−８１４８号公報（第３頁及び第４頁、第２図及び第４図）
【発明の開示】
【発明が解決しようとする課題】
【０００７】
上記した従来技術では、他の予約者の消去或いは上書き操作によって共有される必要な同一のコンテンツを上書き、消去してしまうという問題があった。
【０００８】
そこで、本発明は上記の問題を解決するためになされたものであり、コンテンツが他の予約者と共有されている場合、録画予約された当該コンテンツの予約者の全ての視聴が完了する迄、当該コンテンツを消去或いは上書きできない記録再生装置を提供することを目的とする。
【課題を解決するための手段】
【０００９】
本発明の映像や音声を記録媒体上に記録できる記録再生装置は、録画記録されるコンテンツ毎に録画予約情報を保持する保持手段と、同一のコンテンツを録画予約する場合、前
記録画予約情報を録画予約毎に設定し、コンテンツの録画予約を管理する管理手段と、前記管理手段による管理された録画予約情報に従い、コンテンツを記憶媒体上に記録する記録手段と、を具備することを特徴とする。
【００１０】
このような構成によれば、複数の予約者が同一のコンテンツを録画予約する場合、記録媒体に対する同一のコンテンツの重複記録を防止でき、同一のコンテンツ当たりに必要とされる記憶媒体上の容量を節約できる。
【００１１】
また、本発明の映像や音声を記録媒体上に記録できる記録再生装置は、録画記録されるコンテンツ毎に録画予約の情報と録画予約の状態情報を保持する保持手段と、同一のコンテンツを録画予約する場合、前記録画予約の情報を録画予約毎に設定可能とし、録画予約されたコンテンツが視聴された際、当該コンテンツの録画予約の状態情報を消去可能な状態に設定し、コンテンツの録画予約を管理する管理手段と、前記管理手段による管理された録画予約の情報と録画予約の状態情報に従い、に従い、コンテンツを記憶媒体上に記録する記録手段と、前記管理手段は、消去可能な状態に設定されているコンテンツを消去する際、当該コンテンツに他の録画予約の情報が設定されているか判断し、当該コンテンツに他の録画予約の情報が設定されている場合、更に、消去可能な状態に設定されているか判断し、消去可能な状態に設定されていない場合、前記記録媒体上の当該コンテンツの消去を禁止することを特徴とする。
【００１２】
このような構成によれば、一部の予約者が記憶媒体に録画されたコンテンツの視聴を完了しても、他の予約者が当該コンテンツを視聴していなければ、即ち、全ての予約者が当該コンテンツに対して視聴が完了されなければ、引き続き記憶媒体に保存することができる。従って、複数の予約者が同一の番組を予約した場合、一部の予約者が当該番組を視聴する前に、他の予約者による番組の消去を未然に防止することができる。
【００１３】
また、更に、本発明の映像や音声を記録媒体上に記録できる記録再生装置は、録画記録されるコンテンツ毎に画質情報を含む録画予約の情報と録画予約の状態情報を保持する保持手段と、同一のコンテンツを録画予約する場合、前記録画予約の情報を録画予約毎に設定可能とし、録画予約されたコンテンツが視聴された際、当該コンテンツの録画予約の状態情報を消去可能な状態に設定し、コンテンツの録画予約を管理する管理手段と、前記管理手段による管理された録画予約の情報と録画予約の状態情報に従い、コンテンツを記憶媒体上に記録する記録手段と、前記管理手段は、コンテンツの録画予約の情報に従い、当該コンテンツに他の録画予約の情報が設定されているか判断し、当該コンテンツに他の録画予約の情報が設定されている場合、当該コンテンツが消去可能な状態に設定されているか判断し、消去可能な状態に設定されている場合、更に、消去されるコンテンツの録画予約の画質情報のそれぞれを比較し、消去を指示した当該録画情報の画質情報が最大である場合、他の録画予約の情報の中で最大の画質情報に従い、当該コンテンツを再エンコード処理を実行し、前記記憶媒体に記録することを特徴とする。
【００１４】
このような構成によれば、複数の予約者が同一のコンテンツを録画予約する場合、記録媒体の容量を大量に消費する予約録画を設定した予約者の視聴が完了した時点で、当該コンテンツを再エンコード処理することにより、同一のコンテンツ当たりに必要とされる記憶媒体上の容量を削減できる。
【発明の効果】
【００１５】
本発明によれば、複数の予約者が共用する同一のコンテンツの消去や保存の管理を効率よく実行することができる。
【発明を実施するための最良の形態】
【００１６】
以下、図面を参照しながら本発明の実施の形態について詳細に説明する。
【００１７】
図１は、本発明の一実施形態に係る記録再生装置１の構成を示すブロック図である。記録再生装置１は、入力情報を所定の記録媒体に記録し、再生指示に応じて既に記録されている情報を再生する記録再生部１４、記録再生部１４への記録及び記録再生部１４からの再生、及び以下に説明する各部の動作を制御するマイクロコンピュータ（以下、ＭＰＵと称す。即ち、主制御装置）１５を有する。
【００１８】
記録再生部１４は、例えば、ＤＶＤ(Digital Versatile Disk)規格に準拠して製造されたディスクＤに、映像や音声等の情報の記録及び再生が可能なディスクドライブユニット１４ａ、ディスクドライブユニット１４ａにセットされたディスクＤに記録されるデータ或いはディスクＤから再生されたデータの一定量を一時的に保持可能なバッファリングメモリとして機能する一時記録部１４ｂ、大容量データを記録可能なＨＤＤ１４ｄ、及びデータプロセッサ１４ｃを含む。
【００１９】
データプロセッサ１４ｃは、ＭＰＵ１５の制御に従って、エンコーダ部１３から出力された記録データをディスクドライブ１４ａに供給し、ディスクＤの再生信号をディスクドライブ１４ａから取り込み、デコーダ部１６に供給する。又、データプロセッサ１４ｃは、ＭＰＵ１５の制御に従って、エンコーダ部１３から出力された記録データをＨＤＤ１４ａに供給し、ＨＤＤ１４ａからの再生信号をデコーダ部１６に供給する。更に、データプロセッサ１４ｃは、ＭＰＵ１５の制御に従って、ディスクＤ或いはＨＤＤ１４ａに記録された管理情報を書き替え、記録されたデータの消去、又は、上書きを行う。
【００２０】
尚、一時記録部１４ｂは、具体的には、記録途中でディスクＤの記録容量を使い切ってしまった場合、ディスクＤが記録容量の残っているディスクに交換されるまでの間、記録対象であるコンテンツ（以下、番組と称す。）の情報を一時記憶しておくことに利用できる。ディスクＤは、例えば、追記録可能なＤＶＤ−Ｒ、書換え可能なＤＶＤ-ＲＡＭ等の記録可能な光ディスクである。
【００２１】
エンコーダ部１３は、入力された映像信号をエンコードして圧縮する。エンコーダ部１３には、記録対象である映像や音声などのＡＶ信号を外部から入力するためのＡＶ入力端子１１、及び、例えば、放送事業者等に代表される情報配信者から配信される映像や音声が受信可能なチューナ１２が接続される。チューナ１２は、ＭＰＵ１５の制御に従って、映像や音声のコンテンツ情報を配信する放送局を選局し、更に、番組情報の選局のための番組ガイド情報を放送の垂直帰線期間区間に多重し、配信する放送局を選局することも出来る。
【００２２】
デコーダ部１６は、記録再生部１４から出力された映像や音声等の情報をデコードして伸長する。また、デコーダ部１６は、デコーダ部１６によりデコードされた映像や音声等の再生情報をテレビ等の再生装置に供給するためのＡＶ出力端子１７に接続される。更に、デコーダ部１６は、映像や音声等の再生情報に重ねてＭＰＵ１５から入力された番組情報や予約番組情報の一覧をオンディスプレイ信号としてＡＶ出力端子１７に出力する。
【００２３】
ＭＰＵ１５は、タイマ・マイコン１９が接続される。タイマ・マイコン１９は、記録再生装置１の時間管理に利用されるタイマ回路（時計ユニット）１９ａを有する。タイマ・マイコン１９には、予約者からの操作（指示）を受け付ける予約者操作入力部１０が接続される。又、録画予約情報或いは装置１本体の動作状態を表示する表示部１８、電話回線或いはＣＡＴＶ回線等により接続されるインターネット等の通信ネットワークを介して、外部から録画予約を入力し、及び録画予約の可否を指定された返信先に通知可能な通信制御部２１、及び録画予約情報等を保持可能なメモリ２０がＭＰＵ１５に接続される。尚、
通信制御部２１には、ネットワークにおいて広く利用されているブラウザソフト、例えば、ネットワーク内で情報の検索や閲覧が可能な応用ソフトウェア及び所定の条件下で外部にメールを送信可能な図示しないダイヤラ等が予め用意される。外部から通信ネットワークを介して入力された録画予約情報は、ＭＰＵ１５の制御に従って、その録画が可能であれば録画予約情報テーブル２０ａに登録される。
【００２４】
更に、ＭＰＵ１５は、メモリ２０に記憶されている制御プログラムに従い、ディスクＤに対する情報記録再生及び消去や上書き、予約者操作入力部１０を介して入力された録画予約情報に対応する録画動作、エンコーダ１２からパススルーされた番組情報を取り出し、取り出された番組情報を映像や音声をデコードするデコーダ部１６への供給、表示部１８を用いた表示動作等を制御する。
【００２５】
タイマ・マイコン１９は、タイマ回路１９ａ及び録画予約情報テーブル２０ａを監視しながら、予約者により設定された録画予約情報を管理し、録画予約開始時刻に達した時点でＭＰＵ１５に録画開始指示、及び録画予約終了時刻に達した時点でＭＰＵ１５に録画終了指示を出力する。
【００２６】
予約者操作入力部１０により予約者は、コンテンツの録画、再生、或いは、録画予約情報の入力及び録画予約情報の変更等が可能である。又、予約者操作入力部１０は、図示しないリモートコントロール端末（以下、リモコンと称する。）から送信された制御信号を受け入れるデータ受信部１０ｂ、予約者からの直接入力を介して受付け制御信号をタイマ・マイコン１９へ出力可能な操作パネル１０ａを含む。
【００２７】
図２は、予約者が番組録画予約の際に、図１に示した記録再生装置１に対して、映像録画装置１の内部状態（録画予約一覧、記録媒体の残容量等）をサーバ４を介して確認するシステムの一例を示す。記録再生装置１及び携帯端末３はインターネット等の通信ネットワークを介してメールサーバ及びＷｅｂサーバに接続される。
【００２８】
携帯端末３は、携帯電話、ＰＣ(Personal Computer)、ＰＤＡ(Personal Digital Assistant)、又は、ＰＨＳ(Personal Handy-phone System)等、既存の通信可能機器である。サーバ４はインターネット上のサイトであって、例えば、記録再生装置１のメーカーが開設し、予約者は無料で使用することができる。予約者、又は、記録再生装置１はサーバのインターネットアドレスであるＵＲＬ(Uniform Resource Locator)に暗証番号等の識別番号を付してサイトを特定することにより、当該サーバにアクセスできる。
【００２９】
図２において、携帯端末３により予約者から録画予約情報を含むメールが、サーバ（商用通信制御装置）４に送信される。この録画予約情報には、放送局ＩＤ、録画開始及び終了時刻、記録レート等が含まれる。メール送信先アドレスは記録再生装置１固有のアドレスである。記録再生装置１は、サーバ４からメールを受信し、メール本文中の特定の符号列を予約情報と判断し、該予約情報をメモリ２０に格納する。
【００３０】
記録再生装置１の電源が入っている状態、又は、スタンバイ状態で記録再生装置１からサーバ４へのアクセスは、予約者が設定した時間間隔で実行可能である。スタンバイ状態では、タイマ・マイコン１９、ＭＰＵ１５、メモリ２０、通信制御部２１のみに電源が供給される。
【００３１】
次に、図３乃至図１１を参照して、本発明の一実施形態に係わる複数の予約者によって共有される記録再生装置１における録画予約された番組情報を管理する動作を説明する。
【００３２】
図３は、同実施形態に係わる記録再生装置１における番組を管理する録画予約情報テー
ブル２０ａのある時点での状態を示す。既に、記録再生装置１を利用する複数の予約者Ａ、Ｂ及びＣが番組を記憶媒体、即ち、ＨＤＤ１４ｄやディスクＤに記録し、又は、番組を予約した時点で、ＭＰＵ１５はメモリ２０の録画予約情報テーブル２０ａからこれらの状態を取り出し、更新を実行し、デコーダ部１６を介して当該録画予約情報テーブルの一覧表がＡＶ出力端子１７に出力される。
【００３３】
図３は、記録再生装置１を利用する予約者Ａが録画予約した予約番号１として録画日時「２００３年６月２３日、１８：００〜１８：３０」に番組「ニュース  ＡＢＣ」を記録再生装置１の記憶媒体に８００ＭＢで録画された状態、即ち、「視聴中」を示す。また、図３は、記録再生装置１を利用する予約者Ｂが予約番号２として録画日時「２００３年６月２４日、１８：００〜１９：００」に番組「ドラマ  ＸＹＺ」を録画予約した状態、即ち、「予約完了」を示す。また、更に、図３は、記録再生装置１を利用する予約者Ｃが予約番号３として録画日時「２００３年６月２５日、１８：００〜２１：００」に番組「野球  Ｄ対Ｅ」を録画予約した状態、即ち、「予約完了」を示す。
【００３４】
図４は、同実施形態に係わる記録再生装置１を利用する予約者が番組を予約する動作を示すフローチャートを示す。図５は、予約者が新規に番組を予約した際の録画予約情報テーブル２０ａの状態を示す。図６は、別の予約者が番組を既に予約した番組に対して、予約者が同一番組を予約追加した際の録画予約情報テーブル２０ａの状態を示す。
【００３５】
図４乃至図６を参照して、同実施形態に係わる複数の予約者によって共有される記録再生装置１における番組を予約する動作を説明する。
【００３６】
今、予約者Ａは、図示しないリモコン、又は、ユーザ操作入力部１０を通して、新規の番組予約と予約済みの番組に追加番組予約を実行する為、図示しないＴＶに表示された録画予約情報テーブルを参照する。
【００３７】
ＭＰＵ１５は、図示しないリモコン、又は、ユーザ操作入力部パネル１０ａを通して、予約者Ａにより入力された番組予約の情報、即ち、予約者、番組名及び録画日時を受け取る（Ｓ１００）。ＭＰＵ１５は、メモリ２０の録画予約情報テーブル２０ａから既に記憶されている番組情報を読み出す（Ｓ１１０）。ＭＰＵ１５は、読み出された録画予約情報テーブル２０ａと予約者Ａにより入力された番組予約の情報を比較することにより、予約者Ａにより入力された番組の情報が新規の番組予約か判断する（Ｓ１２０）。
【００３８】
ＭＰＵ１５は、予約者Ａにより入力された番組の情報が新規の番組予約であると判断した場合、予約者Ａにより入力された番組予約の情報、即ち、予約者、番組名及び録画日時を録画予約情報テーブル２０ａに記憶する（Ｓ１２０のＹｅｓ→Ｓ１３０）。この場合、ＭＰＵ１５は、図５に示す通り、録画予約情報テーブル２０ａに予約番号４に、予約者Ａ、番組名「サッカー  Ｄ対Ｅ」、録画時間「２００３年８月１０日、１３：００」、録画予約の状態「予約完了」を記憶する。
【００３９】
また、ＭＰＵ１５は予約者Ａにより入力された番組の情報が新規の番組予約でない、即ち、既に他の予約者により同一の番組が録画予約情報テーブル２０ａに記憶されていると判断した場合、ＭＰＵ１５は録画予約情報テーブル２０ａから予約済みの番組の情報を選択し、番組を予約入力した予約者Ａを録画予約情報テーブル２０ａに記憶する（Ｓ１２０のＮｏ→Ｓ１５０→Ｓ１６０）。この場合、ＭＰＵ１５は、図６に示す通り、録画予約情報テーブル２０ａに予約番号２の行に、予約者Ａと録画予約の状態「予約完了」を追加記憶する。
【００４０】
尚、ＭＰＵ１５は予約者Ａにより入力された番組予約の情報の他に録画予約情報テーブ
ル２０ａにタイマ・マイコン１９から日時を取得し、予約した日時として録画予約情報テーブル２０ａに記憶することも出来る。
【００４１】
次に、ＭＰＵ１５は、予約者Ａにより入力された番組の情報を消去、又は、上書きするためのパスワード入力のメッセージを表示し、予約者に入力を促す。ＭＰＵ１５は予約者Ａにより入力された番組に対するパスワードを予約番号と予約者に対応付けてメモリ２０のパスワード管理テーブル２０ｂに記憶する（Ｓ１４０）。
【００４２】
図７は、録画予約された番組に対して、録画が実行された際の録画予約情報テーブル２０ａの状態を示す。次に、同実施形態に係わる記録再生装置の録画予約情報テーブルに記憶されている予約番組を録画する動作を説明する。
【００４３】
ＭＰＵ１５は、定期的に、タイマ・マイコン１９からの日時情報を受け取り、メモリ２０の録画予約情報テーブル２０ａに記憶されている録画日時情報と比較する。タイマ・マイコン１９からの日時情報が録画日時情報と一致した時、ＭＰＵ１５はＴＶチューナ１２を選局させ、録画される番組をエンコーダ部１３に入力させる。エンコーダ部１３は、放送局から放送された映像・音声の情報をデジタル化し、例えば、所定のビットレートでＭＰＥＧ方式等で符号化する。ＭＰＵ１５はエンコーダ部１３により符号化された映像や音声等の情報をリアルタイムにＨＤＤ１４ｄに記録させるため、記録再生部１４のデータプロセッサ１４ｃに書き込みを指示する。更に、ＭＰＵ１５は、録画予約情報テーブル２０ａに記憶された録画日時の終了時間まで、データプロセッサ１４ｃに書き込みを指示する。データプロセッサ１４ｃは、符号化された映像・音声の情報と共に、録画された番組の属性情報もＨＤＤ１４ｄに記録する。ここでの属性情報とは、予約者、番組名、録画日時や記録容量等である。ＭＰＵ１５は予約した番組を録画完了した時、録画予約情報テーブル２０ａの内容を更新する。この場合、図７に示す通り、ＭＰＵ１４は予約番号２に対応する録画に費やした「３０００ＭＢ」の記録容量の情報と「視聴中（録画済み）」の状態を録画予約情報テーブル２０ａに書き込む。録画完了によって録画予約情報テーブルの記録容量の情報及び再生記録装置１の内部状態が更新される。ここでの内部状態とは、予約した全ての番組の全ての予約者に対して割り当てられており、予約が完了した録画済みの番組は視聴中と表示される。
【００４４】
尚、本発明の実施形態において、予約した番組がＨＤＤ１４ｄに録画されるが、予約者は後程、ＨＤＤ１４ｄに録画された番組及びその属性情報をディスクドライブ１４ａ及び一時記憶部１４ｂを介してディスクＤに適宜書き込むことも出来る。また、予約者は自分が予約した番組が録画されているか確認するため、ユーザ操作入力部１０のパネル１０ａやリモコンを操作して、録画予約情報テーブル２０ａの内容をＴＶ等に表示することも出来る。
【００４５】
図８は、同実施形態に係わる記録再生装置１を利用する予約者が録画された番組を消去、又は、上書きする動作を示すフローチャートを示す。図９は、予約者が番組を視聴完了後、当該番組を消去、又は、上書きした際の録画予約情報テーブル２０ａの状態を示す。図１０は、共有されている番組を予約者が視聴後、当該番組の録画予約の状態を視聴完了に設定した際の録画予約情報テーブル２０ａの状態を示す。
【００４６】
次に、図８乃至図１０を参照して、同実施形態に係わる記録再生装置１の録画予約情報テーブル２０ａに記憶されている録画番組を消去、或いは上書きする動作を説明する。例えば、予約者Ａはユーザ操作入力部のパネル１１ａ、又は、リモコンを介して、録画予約情報テーブル２０ａを読み出し、自分が予約した「ドラマ  ＸＹＺ」の録画が完了しているか、録画予約情報テーブル２０ａのステータス状態の「予約完了」を持って確認し、視聴する。その後、予約者Ａはユーザ操作入力部のパネル１１ａ、又は、リモコンを用いて
録画した「ドラマ  ＸＹＺ」の録画予約の状態を「視聴完了」に設定する。
【００４７】
次に、予約者Ａは自分が予約したの内、視聴完了した番組を消去することを試みる。この場合、先ず、予約者Ａは、ＴＶ等に表示された録画予約情報テーブル２０ａから消去対象の番組、又は、予約番号をユーザ操作入力部のパネル１１ａ、又は、リモコンを用いて選択入力する（Ｓ２００）。
【００４８】
消去対象の番組が予約者Ａにより選択入力された後、ＭＰＵ１５はパスワードの入力の画面を表示し、パスワードの入力を予約者Ａに促す。予約者Ａはパスワードの情報をユーザ操作入力部のパネル１１ａ、又は、リモコンを用いて入力する（Ｓ２１０）。その後、ＭＰＵ１５は、メモリ２０のパスワード管理テーブル２０ｂから消去対象の番組に関連付けられたパスワードの情報を読み出し、予約者Ａから入力されたパスワードの情報とパスワード管理テーブルから読み出されたパスワードの情報を比較する（Ｓ２２０）。予約者Ａから入力されたパスワードの情報とパスワード管理テーブル２０ｂから読み出されたパスワードの情報を比較した結果パスワードが一致しなければ、ＭＰＵ１５は予約者Ａにパスワードの入力を促す表示を継続する（Ｓ２２０のＮｏ）
一方、予約者Ａから入力されたパスワードの情報とパスワード管理テーブル２０ｂから読み出されたパスワードの情報を比較した結果パスワードが一致したならば、ＭＰＵ１５は消去対象の番組が他の録画予約者、例えば、予約者Ｂや予約者Ｃが当該番組を共有して予約録画しているか否か録画予約情報テーブル２０ａの予約者欄をチェックする（Ｓ２２０のＹｅｓ→Ｓ２３０）。
【００４９】
ＭＰＵ１５は消去対象の番組が他の録画予約者により共有されていないと判断した場合、ＭＰＵ１５は視聴完了した当該番組をＨＤＤ１１ｄ、又は、ディスクＤから消去するようにデータプロセッサ１４ｃに消去命令し、録画予約情報テーブル２０ａの該当箇所を消去する（Ｓ２３０のＮｏ→Ｓ２４０）。例えば、予約番号１の番組「ニュース  ＡＢＣ」を予約者が予約者Ａ以外に録画予約情報テーブル２０ａに登録されていない場合、番組「ニュース  ＡＢＣ」は記憶媒体及び録画予約情報テーブル２０ａから完全に消去され、録画予約情報テーブル２０ａは図９に示される状態となる。
【００５０】
一方、ＭＰＵ１５は消去対象の番組が他の録画予約者により共有されていると判断した場合、共有されている当該番組の録画予約情報テーブル２０ａのステータス状態を確認する（Ｓ２３０のＹｅｓ→Ｓ２５０）。ＭＰＵ１５は共有されている当該番組の録画予約の状態を「視聴中」と確認したならば、即ち、記録再生装置１を共有する他の予約者やユーザが共有されている当該番組を未だ視聴していない。又は、一度、当該番組を視聴したが録画予約の状態を「視聴完了」に変更せず、当該番組を保存することを希望している場合、ＭＰＵ１５は録画消去の動作を終了する（Ｓ２５０のＹｅｓ）。例えば、予約者Ａが予約番号２の番組「ドラマ  ＸＹＺ」を視聴完了し、当該番組を消去、又は、上書きすることを希望したが、当該番組「ドラマ  ＸＹＺ」を予約している予約者Ｂが存在し、録画予約の状態が「視聴中」である為、記憶媒体上に記録された当該番組のデータは消去されず、ＭＰＵ１５は予約者Ａの当該番組「ドラマ  ＸＹＺ」に対する録画予約情報テーブル２０ａの録画予約の状態のみを「視聴完了」と更新する。
【００５１】
また、ＭＰＵ１５は共有されている当該番組の録画予約の状態を「視聴完了」と確認したならば、記憶媒体から当該番組の消去を実行するステップに進む（Ｓ２５０のＮｏ→Ｓ２４０）。
【００５２】
また、本発明の実施形態では、図１０では、予約者Ａが録画予約の状態として「視聴完了」を有する番組「ドラマ  ＸＹＺ」を再び視聴したい場合、予約者Ａはユーザ操作入力部１０のパネル１１ａ、又は、リモコンを用いて、番組「ドラマ  ＸＹＺ」の「視聴完了
」を解除し、「視聴中」と再設定することもできる。図９及び図１０に於いて、予約された番組「野球  Ｄ対Ｅ」は、依然、番組が記録媒体に記録されていないことを示す。
【００５３】
ここで、図１１を参照して、本発明の同実施形態に係わる番組の予約・録画・消去に対する映像記録再生装置１の状態遷移を説明する。映像記録再生装置１の状態遷移は、録画予約番組に対して初期状態、予約完了、視聴中及び視聴完了の４種類の状態を有する。共有する録画予約番組に対して複数の録画予約の状態が存在するが、ここでは、映像記録再生装置１は、共有する録画予約番組の予約者毎ではなく、録画予約番組毎に状態遷移を管理する。
【００５４】
映像記録再生装置１は、図示せぬ電源投入の動作と共に、予約前の初期状態としてＮＵＬＬ状態に設定する。映像記録再生装置１を共有するユーザ（予約者）の一人が、ユーザ操作入力部のパネル１１ａ、又は、リモコンを用いて、ある番組を予約入力・追加した時点で、映像記録再生装置１はＮＵＬＬ状態から予約完了状態に遷移する。もし映像記録再生装置１は予約者が予約した番組を録画する前にユーザ操作入力部のパネル１１ａ、又は、リモコンを用いて、当該番組を取消した場合、映像記録再生装置１は予約完了状態を解除し、ＮＵＬＬ状態に遷移する。
【００５５】
更に、映像記録再生装置１は予約者が予約した番組を記録媒体に録画した時点で、映像記録再生装置１は予約完了状態から視聴中（記録済み）状態に遷移する。予約者が記録媒体に録画された番組の視聴を完了し、予約者が、再度、当該番組を視聴しないと決定した場合、又は、記録媒体に録画された番組を視聴しないと決定した場合、映像記録再生装置１は視聴中（記録済み）状態から視聴完了状態（削除可能）に遷移する。
【００５６】
または、予約者が一度録画した番組を視聴し、当該番組を視聴完了と決定しても、他の予約者が当該番組を視聴していない場合、他の予約者が当該番組を視聴するため、映像記録再生装置１は決定された視聴完了状態（削除可能）から視聴中（記録済み）状態に再度遷移する。更に、予約者が一度録画した番組を視聴し、当該番組を視聴完了と決定しても、同一予約者が当該番組の状態を視聴完了状態（削除可能）から視聴中（記録済み）状態に再度遷移させることもできる。また、更に、全ての予約者（一人の予約者も含む）が記憶媒体に録画された番組を視聴せず、当該番組を視聴完了と設定した場合、映像記録再生装置１は当該番組を消去し、視聴中（記録済み）からＮｕｌｌ状態に直接遷移する。
【００５７】
次に、記録媒体に録画されたある番組に対して、全ての予約者が当該番組に対して視聴完了状態（削除可能）と設定したならば、映像記録再生装置１は記録媒体に録画された当該番組を消去し、視聴完了状態（削除可能）からＮｕｌｌ状態に遷移する。
【００５８】
尚、本発明の映像記録再生装置１は、共有する録画予約番組の予約者毎に状態遷移を管理することもできる。
【００５９】
本発明のような構成にすることにより、複数の予約者が同一の番組を録画予約する場合、記録媒体に対する同一の番組の重複記録を防止でき、同一の番組当たりに必要とされる記憶媒体上の容量を節約できる効果がある。
【００６０】
更に、本発明のような構成にすることにより、一部の予約者が記憶媒体に録画された番組の視聴を完了しても、他の予約者が当該番組を視聴していなければ、即ち、全ての予約者が当該番組に対して視聴完了と設定しなければ、視聴中と設定されるので、引き続き記憶媒体に保存することができる。従って、複数の予約者が同一の番組を予約した場合、一部の予約者が当該番組を視聴する前に、他の予約者による番組の消去を未然に防止することができる。
【００６１】
尚、本発明の実施形態では、全ての予約者が視聴完了と設定しなければ、記録媒体から当該番組を消去、或いは、上書きできないよう構成されているが、例えば、予約者がある番組を予約し、記録媒体に録画したことを忘れ、長期間、視聴していない番組も記憶媒体に存在することが考えられる。この場合、予約者が番組を録画予約する際、事前のオプション設定として、記憶媒体にある番組を録画してから一定期間、３ヶ月〜６ヶ月、経過した場合、当該番組に対して強制的に「視聴中」から「視聴完了（削除完了）」に遷移する機能を映像記録再生装置１に持たせることも出来る。この様な構成により、番組を録画する記憶媒体の容量を効果的に節約することができる。
【００６２】
また、本発明の実施形態では、予約者が記録媒体に録画された番組を視聴した際、ユーザ操作入力部１０のパネル１０ａ、又は、リモコンを用いて、当該番組の録画予約の状態を「視聴完了（削除可能）」に設定入力するが、ＭＰＵ１５が予約者が自分が予約した番組を一度視聴したと判断した場合、自動的に、当該番組のステータス状態を「視聴中」から「視聴完了（削除可能）」に遷移させることもできる。この様な構成により、予約者の入力操作の煩わしさを緩和することができる。
【００６３】
次に、本発明の第２の実施の形態について詳細に説明する。本発明の第２の実施の形態は、本発明の第１の実施の形態に比べ、予約者は予約される番組に対して、予約時間に映像や音声等のＡＶ情報をデジタル圧縮する際の画質情報（以下、画質モードと称す。）を指定する事が出来る。
【００６４】
本発明の第２の実施の形態に係わるに係る記録再生装置１の構成やシステム構成は、図１及び図２と同様であり、同一の符号に対するここでの詳細な説明を省略する。図１２乃至図１７を参照して、本発明の第２の実施形態に係わる複数の予約者によって共有される記録再生装置１における録画予約された番組の情報を管理する動作を説明する。
【００６５】
図１２は、同実施形態に係わる記録再生装置１における録画予約される番組を管理する録画予約情報テーブル２０ａのある時点での状態を示す。既に、記録再生装置１を利用する複数の予約者Ａ、Ｂ及びＣが番組を記憶媒体、即ち、ＨＤＤ１４ｄやディスクＤに記録し、又は、番組を予約した時点で、ＭＰＵ１５はメモリ２０の録画予約情報テーブル２０ａからこれらの状態を取り出し、録画予約情報テーブル２０ａの内容を更新し、デコーダ部１６を介して当該録画予約情報テーブル２０ａの一覧表がＡＶ端子１７に出力される。
【００６６】
図１２に於いて、記録再生装置１を利用する予約者Ａが録画予約した予約番号１として録画日時「２００３年６月２３日、１８時」に番組「ニュース  ＡＢＣ」を画質モード「８ＭＢＰＳ」で記録再生装置１の記憶媒体に８００ＭＢで録画された録画予約の状態、即ち、「視聴中」を示す。更に、記録再生装置１を利用する予約者Ｂが予約番号２として録画日時「２００３年６月２４日、１８時」に番組「ドラマ  ＸＹＺ」を画質モード「２ＭＢＰＳ」で録画予約した録画予約の状態、即ち、「予約完了」を示す。また、更に、図１２に於いては、記録再生装置１を利用する予約者Ｃが予約番号３として録画日時「２００３年６月２５日、１８時」に番組「野球  Ｄ対Ｅ」を画質モード「４ＭＢＰＳ」で録画予約した録画予約の状態、即ち、「予約完了」を示す。
【００６７】
図１３は、同実施形態に係わる記録再生装置１を利用する予約者が番組を予約する動作を示すフローチャートを示す。図１４は、別の予約者が既に予約した番組に対して、同一番組を予約追加した際の録画予約情報テーブル２０ａの状態を示す。図１５は、録画予約された番組に対して、録画が実行された際の録画予約情報テーブルの状態を示す。図１３乃至図１５を参照して、同実施形態に係わる複数の予約者によって共有される記録再生装置１における番組を予約する動作を説明する。
【００６８】
今、予約者Ａは、図示しないリモコン、又は、ユーザ操作入力部１０を通して、新規の番組予約と予約済みの番組に追加番組予約を実施する時、図示しないＴＶに表示された録画予約情報テーブル２０ａを参照する。
【００６９】
ＭＰＵ１５は、図示しないリモコン、又は、ユーザ操作入力部パネル１０ａを通して、予約者Ａにより入力された番組予約の情報、即ち、予約者、番組名、録画日時及び録画モードを受け取る（Ｓ３００）。ＭＰＵ１５は、メモリ２０の録画予約情報テーブル２０ａから既に記憶されている番組情報を読み出す（Ｓ３１０）。ＭＰＵ１５は、読み出された録画予約情報テーブル２０ａと予約者Ａにより入力された番組予約の情報を比較することにより、予約者Ａにより入力された番組の情報が新規の番組予約か判断する（Ｓ３２０）。
【００７０】
ＭＰＵ１５は、予約者Ａにより入力された番組の情報が新規の番組予約であると判断した場合、予約者Ａにより入力された番組情報、即ち、番組名及び録画日時、予約者、画質情報を録画予約情報テーブル２０ａに記憶する。この場合、ＭＰＵ１５は、図示しない、録画予約情報テーブル２０ａに新たな予約番号に、例えば、予約者Ａ、番組名「サッカー
Ｄ対Ｅ」、録画時間「２００３年８月１０日、１３：００」、画質モード「４ＭＢＰＳ」と状態「予約完了」を記憶することができる（Ｓ３２０のＹｅｓ→Ｓ３３０→Ｓ３４０→Ｓ３５０）。
【００７１】
また、ＭＰＵ１５は予約者Ａにより入力された番組の情報が新規の番組予約でない、即ち、既に他の予約者により同一の番組が録画予約情報テーブル２０ａに記憶されていると判断した場合、ＭＰＵ１５は録画予約情報テーブル２０ａから予約済みの番組の情報を選択し、番組を予約入力した予約者Ａ及び画質モードを録画予約情報テーブル２０ａに記憶する（Ｓ３２０のＮｏ→Ｓ３７０→Ｓ３８０→Ｓ３９０）。この場合、ＭＰＵ１５は、図１４に示す通り、録画予約情報テーブル２０ａの予約番号２に、予約者Ａ、画質モード「８ＭＢＰＳ」と録画予約の状態「予約完了」を追加記憶する。
【００７２】
尚、ＭＰＵ１５は、予約者Ａにより入力された番組予約の情報の他に録画予約情報テーブル２０ａにタイマ・マイコン１９から日時を取得し、予約した日時として録画予約情報テーブル２０ａに記憶することも出来る。
【００７３】
ＭＰＵ１５は、予約者Ａにより入力された番組の情報を消去するためのパスワード入力のメッセージを表示し、パスワードの入力を促す。ＭＰＵ１５は、予約者Ａにより入力された番組に対するパスワードをメモリのパスワード管理テーブル１１ｂに記憶する（Ｓ３６０）。
【００７４】
尚、本発明の第２の実施形態においては、予約者が予約時に画質モードを指定し、番組を予約録画できるようにしているが、番組の用途に応じて、音楽放送の番組の場合、画質モードに加えて音声モードの設定も容易に実現できる。また、本発明の第２の実施形態においては、ＨＤＤ１４ｄやディスクＤの残容量にあわせて、録画予約するコンテンツの記録容量モードの設定の可能である。
【００７５】
次に、同実施形態に係わる記録再生装置１の録画予約情報テーブル２０ａに記憶されている予約番組を録画する動作を説明する。
【００７６】
ＭＰＵ１５は、定期的に、タイマ・マイコン１９からの日時情報を受け取り、メモリ２０の録画予約情報テーブル２０ａに記憶されている録画日時情報と比較する。タイマ・マイコン１９からの日時情報が録画日時情報と一致した時、ＭＰＵ１５は、ＴＶチューナ１
２を選局し、録画される番組をエンコーダ部１３に入力させる。エンコーダ部１３は、メモリ２０の録画予約情報テーブル２０ａに記憶されている画質モードの情報を読み出し、放送局から放送された映像・音声等の情報をデジタル化し、当該読み出された画質モードに従い、所定のビットレートでＭＰＥＧ方式等で符号化する。ＭＰＵ１５はメモリ２０の録画予約情報テーブル２０ａに記憶されている画質モードを読み出した際、図１４に示される予約番号２の様に複数の画質モードが設定されている場合、当該読み出された画質モードの情報を比較し、画質モードの高い方の画質モードである８ＭＢＰＳで放送局から放送された映像・音声の情報を符号化するようにエンコーダ部１３に指示する。次に、ＭＰＵ１５は、エンコーダ部１３により符号化された映像・音声等の情報をリアルタイムにＨＤＤ１４ｄに記録させる為、記録再生部１４のデータプロセッサ１４ｃに書き込みを指示する。更に、ＭＰＵ１５は、録画予約情報テーブル２０ａに記憶された録画日時の終了時間まで、データプロセッサ１４ｃに書き込みを指示する。データプロセッサ１４ｃは、符号化された映像・音声等の情報と共に、録画した番組の属性情報もＨＤＤ１４ｄに記録する。ここでの属性情報は、予約者、番組名、画質モード、録画日時や記録容量等である。ＭＰＵ１５は予約した番組を録画完了した時、録画予約情報テーブル２０ａの内容を更新する。この場合、図１５に示す通り、ＭＰＵ１５は予約番号２に対応する録画に費やした「３０００ＭＢ」の記録容量の情報と「視聴中（録画済み）」の状態を録画予約情報テーブル２０ａに書き込む。録画完了によって録画予約情報テーブル２０ａの記録容量の情報及び映像再生記憶装置１の内部状態が更新される。ここでの内部状態は、予約した全ての番組の全ての予約者に対して割り当てられており、予約が完了した録画済みの番組は視聴中と表示される。
【００７７】
尚、本発明の第２の実施形態においても、予約した番組がＨＤＤ１４ｄに録画されたが、予約者は後程、ＨＤＤ１４ｄに録画された番組及びその属性情報をディスクドライブ１４ａ及び一時記憶部１４ｂを介してディスクＤに適宜書き込むことも出来る。また、予約者は自分が予約した番組が録画されているか確認する為、ユーザ操作入力部１０のパネル１０ａやリモコンを操作して、録画予約情報テーブル２０ａの内容をＴＶ等に表示することも出来る。
【００７８】
次に、図１６乃至図１７を参照して、同実施形態に係わる記録再生装置の録画予約情報テーブルに記憶されている録画番組を消去する動作を説明する。図１６は、録画を完了した番組の消去動作を示すフローチャートを示す。図１７は、予約者が番組を視聴完了後、当該番組を消去、又は、上書きした際の録画予約情報テーブル２０ａの状態を示す。例えば、予約者Ａはユーザ操作入力部のパネル１１ａ、又は、リモコンを介して、録画予約情報デーブル２０ａを読み出し、自分が予約した「ドラマ  ＸＹＺ」の録画が完了しているか、録画予約情報デーブル２０ａの録画予約の状態「予約完了」を持って確認し、視聴する。その後、予約者Ａはユーザ操作入力部のパネル１１ａ、又は、リモコンを用いて録画した「ドラマ  ＸＹＺ」の視聴完了の確認を実行する。
【００７９】
予約者Ａは自分が予約し、視聴を完了した番組を消去、又は、上書きすることを試みる。この場合、先ず、予約者Ａは、ＴＶ等に表示された録画予約情報デーブル２０ａから消去対象の番組、又は、予約番号をユーザ操作入力部１０のパネル１０ａ、又は、リモコンを用いて選択入力する（Ｓ４００）。
【００８０】
消去対象の番組が予約者Ａから選択入力された後、ＭＰＵ１５はパスワードの入力の画面を表示させ、パスワードの入力を予約者Ａに促す。予約者Ａはパスワードの情報をユーザ操作入力部のパネル１１ａ、又は、リモコンを用いて入力する（Ｓ４１０）。その後、ＭＰＵ１５は、メモリ２０のパスワード管理テーブル２０ｂから消去対象の番組に関連付けられたパスワードの情報を読み出し、予約者Ａから入力されたパスワードの情報とパスワード管理テーブル２０ｂから読み出されたパスワードの情報を比較する（Ｓ４２０）。
予約者Ａから入力されたパスワードの情報とパスワード管理テーブル２０ｂから読み出されたパスワードの情報を比較した結果、パスワードが一致しないと判断したならば、ＭＰＵ１５は予約者Ａにパスワードの入力を促す表示を継続する（Ｓ４２０のＮｏ）。
【００８１】
一方、予約者Ａから入力されたパスワードの情報とパスワード管理テーブルから読み出されたパスワードの情報を比較した結果、パスワードが一致したと判断したならば、ＭＰＵ１５は消去対象の番組が他の予約者、例えば、予約者Ｂや予約者Ｃが当該番組を共有して録画予約しているか否か録画予約情報テーブル２０ａの予約者欄をチェックする（Ｓ４２０のＹｅｓ→Ｓ４３０）。
【００８２】
ＭＰＵ１５は消去対象の番組が他の予約者により共有されていないと判断した場合、視聴を完了した当該番組をＨＤＤ１１ｄ、又は、ディスクＤから消去するようにデータプロセッサ１４ｃに消去命令を発行し、録画予約情報テーブル２０ａの当該箇所を消去、上書きする（Ｓ４３０のＮｏ→Ｓ４４０）。例えば、図１７の通り、視聴完了となった予約番号１の番組「ニュース  ＡＢＣ」に対して、予約者が予約者Ａ以外に録画予約情報テーブルに登録されていない場合、番組「ニュース  ＡＢＣ」は記憶媒体及び録画予約情報テーブル２０ａから完全に消去、又は、上書きされる。
【００８３】
一方、ＭＰＵ１５は消去対象の番組が他の予約者により共有されていると判断した場合、共有されている当該番組の録画予約情報テーブル２０ａの録画予約状態を確認する（Ｓ４３０のＹｅｓ→Ｓ４５０）。ＭＰＵ１５は共有されている当該番組の録画予約状態の少なくとも一つが「視聴中」であると判断したならば、即ち、記録再生装置１を共有する他の予約者やユーザが共有されている当該番組を未だ視聴していない。又は、予約者は、一度、当該番組を視聴したがステータス状態を「視聴完了」に変更せず、当該番組を保存することを希望している場合、ＭＰＵ１５は録画消去の動作を終了する。ＭＰＵ１５は、消去対象の当該番組の録画予約情報テーブル２０ａの画質モードの情報を全て読み出し、消去対象を指示した予約者の画質モードが一番大きいか判断する（Ｓ４５０のＹｅｓ→Ｓ４６０）。当該番組の消去を指示した予約者の画質モードが一番大きいと判断されたならば、ＭＰＵ１５は次に大きな画質モードの情報に基づき、記憶媒体上に記録された当該番組のデータをデコードし、エンコードする命令を発行し、デコーダ部１６及びエンコーダ部１３により当該番組のデータの再エンコード処理が実行される（Ｓ４６０のＹｅｓ→Ｓ４７０）。例えば、予約者Ａが予約番号２の番組「ドラマ  ＸＹＺ」を視聴完了し、当該番組を消去、又は、上書きすることを希望したが、当該番組「ドラマ  ＸＹＺ」を予約している予約者Ｂが存在し、録画予約の状態が「視聴中」である為、記憶媒体上に記録された当該番組のデータは消去、又は、上書きされず、ＭＰＵ１５は予約番号２の画質モードの情報全て（２ＭＢＰＳと８ＭＢＰＳ）を読み出し、当該番組の消去、又は、上書きを指示した予約者Ａの画質モード（８ＭＢＰＳ）が一番大きいと判断したので、当該番組を予約者Ｂの画質モード（２ＭＢＰＳ）で再エンコード処理する。この再エンコード処理の結果、記憶媒体上では３０００ＭＢから７５０ＭＢに記憶容量に減少する。更に、ＭＰＵ１５は、予約者Ａの当該番組「ドラマ  ＸＹＺ」に対する録画予約情報テーブルの録画予約の状態のみを「視聴完了」と更新する。
【００８４】
また、ＭＰＵ１５は共有されている当該番組の録画予約の状態が全て「視聴完了」と判断したならば、記憶媒体から当該番組の消去、又は、上書きを実行するステップに進む（Ｓ４５０のＮｏ→Ｓ４４０）。
【００８５】
また、一方、ＭＰＵ１５は番組の消去、又は、上書きを指示した予約者の画質モードが一番大きいと判断されないならば、予約者Ａの当該番組「ドラマ  ＸＹＺ」に対する録画予約情報テーブル２０ａの録画予約の状態のみを「視聴完了」と更新する（Ｓ４６０のＮｏ）。
【００８６】
本発明のような構成にすることにより、複数の予約者が同一の番組を録画予約する場合、記録媒体容量を大量に消費する録画予約を設定した予約者の視聴が完了した時点で、当該番組の再エンコード処理を実行することにより、同一の番組当たりに必要とされる記憶媒体上の容量を削減できる効果がある。
【図面の簡単な説明】
【００８７】
【図１】本発明の一実施形態に係る記録再生装置の構成を示すブロック図。
【図２】同実施形態を係わる記録再生装置のシステム構成例を示すブロック図。
【図３】同実施形態を係わる記録再生装置における番組を管理する録画予約情報テーブルのある時点での状態を示す図。
【図４】同実施形態に係わる番組予約の動作を示すフローチャート。
【図５】同実施形態を係わる予約者が新規に番組を予約した際の録画予約情報テーブルの状態を示す図。
【図６】同実施形態を係わる別の予約者が番組を既に予約した番組に対して予約者が同一番組を予約追加した際の録画予約情報テーブルの状態を示す図。
【図７】同実施形態に係わる録画予約された番組に対して、録画が実行された際の録画予約情報テーブルの状態を示す図。
【図８】同実施形態に係わる録画完了した番組の消去動作を示すフローチャート。
【図９】同実施形態に係わる予約者が番組を視聴完了後、当該番組を消去、又は、上書きした際の録画予約情報テーブルの状態を示す図。
【図１０】同実施形態に係わる共有されている番組を予約者が視聴後、当該番組の録画予約の状態を視聴完了に設定した際の録画予約情報テーブルの状態を示す図。
【図１１】同実施形態に係わる映像記録再生装置における番組の録画予約に対する状態遷移を説明する図。
【図１２】本発明の第２の実施形態を係わる番組の情報を管理する録画予約情報テーブルのある時点での状態を示す図。
【図１３】同実施形態に係わる番組予約の動作を示すフローチャート。
【図１４】同実施形態を係わる別の予約者が既に予約した番組に対して、同一番組を予約追加した際の録画予約情報テーブルの状態を示す図。
【図１５】同実施形態を係わる録画予約された番組に対して、録画が実行された際の録画予約情報テーブルの状態を示す図。
【図１６】同実施形態に係わる録画完了した番組の消去動作を示すフローチャート。
【図１７】同実施形態に係わる予約者が番組を視聴完了後、当該番組を消去、又は、上書きした際の録画予約情報テーブルの状態を示す図。
【符号の説明】
【００８８】
１・・・記録再生装置、３・・・端末装置、４・・・サーバ
１０・・・ユーザ操作部、１０ａ・・・パネル、１０ｂ・・・受信部、１１・・・ＡＶ入力端子、１２・・・ＴＶチューナ、１３・・・エンコーダ部、１４・・・記録再生部、１５・・・ＭＰＵ、１６・・・デコーダ部、１７・・・ＡＶ出力端子、１８・・・表示部、１９・・・タイマ・マイコン、１９ａ・・・タイマ回路、２０・・・メモリ、２０ａ・・・録画予約情報テーブル、２０ｂ・・・パスワード管理テーブル、２１・・・通信制御部
【図１】
2005092975.tif 000003
【図２】
2005092975.tif 000004
【図３】
2005092975.tif 000005
【図４】
2005092975.tif 000006
【図５】
2005092975.tif 000007
【図６】
2005092975.tif 000008
【図７】
2005092975.tif 000009
【図８】
2005092975.tif 000010
【図９】
2005092975.tif 000011
【図１０】
2005092975.tif 000012
【図１１】
2005092975.tif 000013
【図１２】
2005092975.tif 000014
【図１３】
2005092975.tif 000015
【図１４】
2005092975.tif 000016
【図１５】
2005092975.tif 000017
【図１６】
2005092975.tif 000018
【図１７】
2005092975.tif 000019